(57)【要約】【課題】コンテンツを複数の配信形態で容易に配信可能にした情報配信システムを提供する。【解決手段】画像および文書の部品のうち少なくともいずれか一方を含む配信コンテンツのソースコードを格納したコンテンツ構成情報管理サーバ１１６と、ネットワークおよび放送波のうち少なくともいずれか一方を介して配信コンテンツを閲覧可能にするためのコンテンツ提供装置１１５、１１８と、配信コンテンツの配信開始日時および配信終了日時を格納し、配信開始日時に配信コンテンツをコンテンツ構成情報管理サーバ１１６からコンテンツ提供装置１１５、１１８に複写し、配信終了日時に配信コンテンツをコンテンツ提供装置１１５、１１８から削除するポータル情報配信装置１１３とを有する構成である。【選択図】  図１
2005012323.tif 000002
【特許請求の範囲】
【請求項１】
画像および文書の部品のうち少なくともいずれか一方を含む配信コンテンツのソースコードを格納したコンテンツ構成情報管理サーバと、
ネットワークおよび放送波のうち少なくともいずれか一方を介して前記配信コンテンツを閲覧可能にするためのコンテンツ提供装置と、
前記配信コンテンツの配信開始日時および配信終了日時を格納し、該配信開始日時に該配信コンテンツを前記コンテンツ構成情報管理サーバから前記コンテンツ提供装置に複写し、該配信終了日時に該配信コンテンツを前記コンテンツ提供装置から削除するポータル情報配信装置と、
を有する情報配信システム。
【請求項２】
画像および文書の部品のうち少なくともいずれか一方を含む配信コンテンツをネットワークおよび放送波のうち少なくともいずれか一方を介して閲覧可能にするための該配信コンテンツのソースコードを格納したコンテンツ提供装置と、
前記配信コンテンツに含まれる修正対象ファイルの文書管理ＩＤ、ファイル名および公開先ＵＲＬならびに該修正対象ファイルに替わる差し替えファイルの文書管理ＩＤおよびファイル名を含む連携コンテンツ構成情報と該差し替えファイルとを格納するコンテンツ構成情報管理サーバと、
前記修正対象ファイルの文書管理ＩＤと前記差し替えファイルの文書管理ＩＤを含む差し替え情報が操作者により入力されると、前記コンテンツ構成情報管理サーバの前記連携コンテンツ構成情報から読み出した前記修正対象ファイルのファイル名と前記差し替えファイルのファイル名とを含むファイル名変更信号を外部に送信するポータル情報配信装置と、
前記ポータル情報配信装置からファイル名変更信号を受信すると、前記コンテンツ提供装置の前記ソースコードに記述された前記修正対象ファイルのファイル名を前記差し替えファイルのファイル名に変更し、前記コンテンツ構成情報管理サーバから前記公開先ＵＲＬに該差し替えファイルを複写するコンテンツ更新装置と、
を有する情報配信システム。
【請求項３】
画像および文書の部品のうち少なくともいずれか一方を含む配信コンテンツをネットワークおよび放送波のうち少なくともいずれか一方を介して閲覧可能にするための該配信コンテンツのソースコードを格納したコンテンツ提供装置と、
複数の前記配信コンテンツに共通の部品である共通部品の存在位置を示すための、該共通部品を有する配信コンテンツのページのファイル名および文書管理ＩＤならびに該配信コンテンツのページで該共通部品が表示される位置を示す位置ＩＤが記述された式からなる対応情報と前記共通部品の公開先ＵＲＬとを含む連携コンテンツ構成情報と前記共通部品に替わる新規部品を表示するための差し替えファイルとを格納するコンテンツ構成情報管理サーバと、
前記新規部品が表示される位置を示す更新位置ＩＤと前記共通部品のファイルのファイル名と前記差し替えファイルのファイル名を含む差し替え情報が操作者により入力されると、該更新位置ＩＤに一致する前記位置ＩＤを含む式を前記対応情報から取得し、該更新位置ＩＤを含む式から読み出した前記文書管理ＩＤを修正対象文書管理ＩＤとして、該修正対象文書管理ＩＤと該更新位置ＩＤと該共通部品のファイルのファイル名と該差し替えファイルのファイル名とを含む部分更新情報を外部に送信するポータル情報配信装置と、
前記ポータル情報配信装置から前記部分更新情報を受信すると、前記対応情報から前記修正対象文書管理ＩＤのファイル名を読み出し、該修正対象文書管理ＩＤのファイル名を含むソースコードを前記コンテンツ提供装置から読み出し、該ソースコード内の前記共通部品のファイル名を前記差し替えファイルのファイル名に変更し、前記コンテンツ構成情報管理サーバから前記公開先ＵＲＬに前記差し替えファイルを複写するコンテンツ更新装置と、
を有する情報配信システム。
【請求項４】
前記連携コンテンツ構成情報に前記差し替えファイルのフォーマット形式の情報を含み、
前記コンテンツ更新装置は、
前記連携コンテンツ構成情報から読み出した前記フォーマット形式にしたがって前記差し替えファイルを前記コンテンツ提供装置に複写する請求項２または３記載の情報配信システム。
【請求項５】
送受信する情報の秘匿性が確保された通信回線を介して前記差し替え情報を前記ポータル情報配信装置に送信するための、該ポータル情報配信装置に該通信回線を介して通信可能に接続されたポータル情報登録端末を有する請求項２乃至４のいずれか１項記載の情報配信システム。
【請求項６】
前記配信コンテンツの配信形態に対応して前記コンテンツ提供装置を複数備えた請求項１乃至５のいずれか１項記載の情報配信システム。
【請求項７】
画像および文書の部品のうち少なくともいずれか一方を含む配信コンテンツのソースコードを格納したコンテンツ構成情報管理サーバと前記配信コンテンツをネットワークおよび放送波のうち少なくともいずれか一方を介して閲覧可能にするためのコンテンツ提供装置とを備えた情報配信システムによる、前記配信コンテンツを提供するための情報配信方法であって、
前記配信コンテンツの配信開始日時および配信終了日時を保存し、
前記配信開始日時に前記配信コンテンツを前記コンテンツ構成情報管理サーバから前記コンテンツ提供装置に複写し、
前記配信終了日時に前記配信コンテンツを前記コンテンツ提供装置から削除する情報配信方法。
【請求項８】
画像および文書の部品のうち少なくともいずれか一方を含む配信コンテンツのソースコードを格納したコンテンツ構成情報管理サーバと前記配信コンテンツをネットワークおよび放送波のうち少なくともいずれか一方を介して閲覧可能にするためのコンテンツ提供装置とを備えた情報配信システムによる、前記配信コンテンツを提供するための情報配信方法であって、
前記配信コンテンツに含まれる修正対象ファイルの文書管理ＩＤ、ファイル名および公開先ＵＲＬならびに該修正対象ファイルに替わる差し替えファイルの文書管理ＩＤおよびファイル名を含む連携コンテンツ構成情報と該差し替えファイルとを前記コンテンツ構成情報管理サーバに格納し、
前記修正対象ファイルの文書管理ＩＤと前記差し替えファイルの文書管理ＩＤを含む差し替え情報が操作者により入力されると、前記コンテンツ構成情報管理サーバの前記連携コンテンツ構成情報から前記修正対象ファイルのファイル名と前記差し替えファイルのファイル名とを読み出し、
前記コンテンツ提供装置の前記ソースコードに記述された前記修正対象ファイルのファイル名を前記差し替えファイルのファイル名に変更し、
前記コンテンツ構成情報管理サーバから前記公開先ＵＲＬに前記差し替えファイルを複写する情報配信方法。
【請求項９】
画像および文書の部品のうち少なくともいずれか一方を含む配信コンテンツのソースコードを格納したコンテンツ構成情報管理サーバと前記配信コンテンツをネットワークおよび放送波のうち少なくともいずれか一方を介して閲覧可能にするためのコンテンツ提供装置とを備えた情報配信システムによる、前記配信コンテンツを提供するための情報配信方法であって、
複数の前記配信コンテンツに共通の部品である共通部品の存在位置を示すための、該共通部品を有する配信コンテンツのページのファイル名および文書管理ＩＤならびに該配信コンテンツのページで該共通部品が表示される位置を示す位置ＩＤが記述された式からなる対応情報と前記共通部品の公開先ＵＲＬとを含む連携コンテンツ構成情報と前記共通部品に替わる新規部品を表示するための差し替えファイルとを前記コンテンツ構成情報管理サーバに格納し、
前記新規部品が表示される位置を示す更新位置ＩＤと前記共通部品のファイルのファイル名と前記差し替えファイルのファイル名を含む差し替え情報が操作者により入力されると、該更新位置ＩＤに一致する前記位置ＩＤを含む式を前記対応情報から取得し、
前記更新位置ＩＤを含む式から読み出した前記文書管理ＩＤを修正対象文書管理ＩＤとして、前記対応情報から該修正対象文書管理ＩＤのファイル名を読み出し、
前記修正対象文書管理ＩＤのファイル名を含むソースコードを前記コンテンツ提供装置から読み出し、
前記ソースコード内の前記共通部品のファイル名を前記差し替えファイルのファイル名に変更し、
前記コンテンツ構成情報管理サーバから前記公開先ＵＲＬに前記差し替えファイルを複写する情報配信方法。
【請求項１０】
画像および文書の部品のうち少なくともいずれか一方を含む配信コンテンツを格納する情報処理装置であって、
基礎コンテンツから複数の配信コンテンツが操作者により作製されると、該複数の配信コンテンツに共通の部品である共通部品の存在位置を示すための、該共通部品を有する配信コンテンツのページのファイル名および文書管理ＩＤならびに該配信コンテンツのページで該共通部品が表示される位置を示す位置ＩＤが記述された式からなる対応情報を作成する情報処理装置。
【請求項１１】
画像および文書の部品のうち少なくともいずれか一方を含む配信コンテンツを格納するコンピュータに実行させるためのプログラムであって、
基礎コンテンツから複数の配信コンテンツが操作者により作製されると、該複数の配信コンテンツに共通の部品である共通部品の存在位置を示すための、該共通部品を有する配信コンテンツのページのファイル名および文書管理ＩＤならびに該配信コンテンツのページで該共通部品が表示される位置を示す位置ＩＤが記述された式からなる対応情報を作成する処理を前記コンピュータに実行させるためのプログラム。
【発明の詳細な説明】
【０００１】
【発明の属する技術分野】
本発明は、コンテンツを配信するための情報配信システム、情報配信方法、情報処理装置、およびプログラムに関する。
【０００２】
【従来の技術】
地上波デジタル放送が行われるようになると、デジタル放送波により配信されるコンテンツであるデータ放送コンテンツが家庭のテレビ受信機で見られるようになる。そして、データ放送コンテンツをデジタル放送波を介して配信するだけでなく、ＡＤＳＬ（Ａｓｙｍｍｅｔｒｉｃ  Ｄｉｇｉｔａｌ  Ｓｕｂｓｃｒｉｂｅｒ  Ｌｉｎｅ）、ＦＴＴＨ（Ｆｉｂｅｒ  ｔｏ  ｔｈｅ  Ｈｏｍｅ）、および電話回線などのネットワークを介して、データ放送コンテンツと同様の情報を上記テレビ受信機に配信することが提案されている（例えば、特許文献１参照）。
【０００３】
現在、インターネットなどのネットワークを利用するネットワーク利用者は、パーソナルコンピュータ等の情報処理装置を操作して、ＷＷＷ（Ｗｏｒｌｄ  Ｗｉｄｅ  Ｗｅｂ：以下では、単に「ＷＥＢ」と称する）上に公開された企業のＷＥＢページにアクセスし、ＷＥＢページに表示されるコンテンツを閲覧している。企業は、このＷＥＢページの運営システムだけでなく、ＳＣＭ（サプライチェーンマネージメント）および企業内メールを含むグループウェア等のシステムについて、設備投資、システム構築費および運用人員などのコスト面を考えて、ＡＳＰ（Ａｐｐｌｉｃａｔｉｏｎ  Ｓｅｒｖｉｃｅ  Ｐｒｏｖｉｄｅｒ）事業者に業務委託していることが多い。
【０００４】
また、ネットワーク利用者は、広帯域伝送（ブロードバンド（ＢＢ）伝送）により情報量の多いコンテンツを情報処理装置に受信できるようになった。情報量の多いコンテンツには、例えば、映画や、テレビで過去に放送された番組である過去番組がある。放送局は、上述のコスト面を考慮し、自社でＷＥＢページの企画を行うだけで、ＷＥＢページクリエータおよびＡＳＰ事業者などの外部事業者に映画や過去番組等の映像テープを提供し、ＷＥＢページの制作、構築および運営を委託している。
【０００５】
【特許文献１】
特開２００２−１３３３５２号公報
【０００６】
【発明が解決しようとする課題】
現在、地上波デジタル放送に先がけて、ＢＳ（Ｂｒｏａｄｃａｓｔｉｎｇ  Ｓａｔｅｌｌｉｔｅ）デジタル放送が実施されており、ＢＳデジタル放送対応のテレビ受信機にはネットワークを介して放送局のＷＥＢページに接続可能にしたものもある。このようなテレビ受信機向けに、放送している番組の進行に合わせて、データ放送コンテンツと放送局のＷＥＢページの情報を更新するサービスを提供した例がある。
【０００７】
放送局は、上述したようにＷＥＢページの運営をＡＳＰ事業者に委託しているが、ＷＥＢページ情報を番組の進行に合わせて更新する場合には、コンテンツのアップデートの作業をすべて行わなければならなかった。
【０００８】
また、データ放送コンテンツを配信するために、放送波を出力する装置の他に、データ放送コンテンツを管理するための情報処理装置を含むデータ放送設備を専用設備としてすべて自社で備え、データ放送コンテンツの作成および管理のための運用人員を確保しなければならなかった。
【０００９】
一方、放送局が地上波デジタル放送を実施することで、デジタル放送の視聴者が増加すると、放送局は、視聴者へのサービス向上のために、上記データ放送コンテンツのページにリンクを設定して、ネットワークを介して配信されるコンテンツである放送系通信コンテンツをテレビ受信機で受信可能にすることも考えられる。この場合、データ放送コンテンツに放送系通信コンテンツのラインアップを表示させて、データ放送コンテンツをポータルサイトのように利用することも考えられる。
【００１０】
また、放送局は、ブロードバンド伝送対応のテレビ受信機を所有するテレビ視聴者に対するサービスとして、ブロードバンド伝送により配信されるＨＴＭＬ（ＨｙｐｅｒＴｅｘｔ  Ｍａｒｋｕｐ  Ｌａｎｇｕａｇｅ）で記述されたコンテンツであるＷＥＢ系ＢＢコンテンツをテレビ受信機で受信可能にすることも考えられる。なお、以下では、データ放送コンテンツ、放送系通信コンテンツおよびＷＥＢ系ＢＢコンテンツを配信コンテンツと称する。
【００１１】
このように、放送局は、同じ内容のコンテンツでも、データ放送コンテンツ、放送系通信コンテンツ、およびＷＥＢ系ＢＢコンテンツなど、多様な形態で配信するようになると、配信形態毎にコンテンツを作成および管理しなければならない。そのため、設備投資、構築費および運用人員を最小限に抑えたいという放送局のニーズが高くなる。
【００１２】
上述のことから、放送局では、本業である映像および音声の地上波デジタル放送のための設備投資および運用費に加え、コンテンツを複数の形態で配信可能にするための設備投資および定期的な運用費が必要となり、放送局の経営上問題になるおそれがある。
【００１３】
本発明は上記したような従来の技術が有する問題点を解決するためになされたものであり、コンテンツを複数の配信形態で容易に配信可能にした情報配信システム、情報配信方法、情報処理装置、およびプログラムを提供することを目的とする。
【００１４】
【課題を解決するための手段】
上記目的を達成するための本発明の情報配信システムは、画像および文書の部品のうち少なくともいずれか一方を含む配信コンテンツのソースコードを格納したコンテンツ構成情報管理サーバと、
ネットワークおよび放送波のうち少なくともいずれか一方を介して前記配信コンテンツを閲覧可能にするためのコンテンツ提供装置と、
前記配信コンテンツの配信開始日時および配信終了日時を格納し、該配信開始日時に該配信コンテンツを前記コンテンツ構成情報管理サーバから前記コンテンツ提供装置に複写し、該配信終了日時に該配信コンテンツを前記コンテンツ提供装置から削除するポータル情報配信装置と、
を有する構成である。
【００１５】
また、本発明の情報配信システムは、画像および文書の部品のうち少なくともいずれか一方を含む配信コンテンツをネットワークおよび放送波のうち少なくともいずれか一方を介して閲覧可能にするための該配信コンテンツのソースコードを格納したコンテンツ提供装置と、
前記配信コンテンツに含まれる修正対象ファイルの文書管理ＩＤ、ファイル名および公開先ＵＲＬならびに該修正対象ファイルに替わる差し替えファイルの文書管理ＩＤおよびファイル名を含む連携コンテンツ構成情報と該差し替えファイルとを格納するコンテンツ構成情報管理サーバと、
前記修正対象ファイルの文書管理ＩＤと前記差し替えファイルの文書管理ＩＤを含む差し替え情報が操作者により入力されると、前記コンテンツ構成情報管理サーバの前記連携コンテンツ構成情報から読み出した前記修正対象ファイルのファイル名と前記差し替えファイルのファイル名とを含むファイル名変更信号を外部に送信するポータル情報配信装置と、
前記ポータル情報配信装置からファイル名変更信号を受信すると、前記コンテンツ提供装置の前記ソースコードに記述された前記修正対象ファイルのファイル名を前記差し替えファイルのファイル名に変更し、前記コンテンツ構成情報管理サーバから前記公開先ＵＲＬに該差し替えファイルを複写するコンテンツ更新装置と、
を有する構成である。
【００１６】
また、本発明の情報配信システムは、画像および文書の部品のうち少なくともいずれか一方を含む配信コンテンツをネットワークおよび放送波のうち少なくともいずれか一方を介して閲覧可能にするための該配信コンテンツのソースコードを格納したコンテンツ提供装置と、
複数の前記配信コンテンツに共通の部品である共通部品の存在位置を示すための、該共通部品を有する配信コンテンツのページのファイル名および文書管理ＩＤならびに該配信コンテンツのページで該共通部品が表示される位置を示す位置ＩＤが記述された式からなる対応情報と前記共通部品の公開先ＵＲＬとを含む連携コンテンツ構成情報と前記共通部品に替わる新規部品を表示するための差し替えファイルとを格納するコンテンツ構成情報管理サーバと、
前記新規部品が表示される位置を示す更新位置ＩＤと前記共通部品のファイルのファイル名と前記差し替えファイルのファイル名を含む差し替え情報が操作者により入力されると、該更新位置ＩＤに一致する前記位置ＩＤを含む式を前記対応情報から取得し、該更新位置ＩＤを含む式から読み出した前記文書管理ＩＤを修正対象文書管理ＩＤとして、該修正対象文書管理ＩＤと該更新位置ＩＤと該共通部品のファイルのファイル名と該差し替えファイルのファイル名とを含む部分更新情報を外部に送信するポータル情報配信装置と、
前記ポータル情報配信装置から前記部分更新情報を受信すると、前記対応情報から前記修正対象文書管理ＩＤのファイル名を読み出し、該修正対象文書管理ＩＤのファイル名を含むソースコードを前記コンテンツ提供装置から読み出し、該ソースコード内の前記共通部品のファイル名を前記差し替えファイルのファイル名に変更し、前記コンテンツ構成情報管理サーバから前記公開先ＵＲＬに前記差し替えファイルを複写するコンテンツ更新装置と、
を有する構成である。
【００１７】
また、上記本発明の情報配信システムにおいて、前記連携コンテンツ構成情報に前記差し替えファイルのフォーマット形式の情報を含み、
前記コンテンツ更新装置は、
前記連携コンテンツ構成情報から読み出した前記フォーマット形式にしたがって前記差し替えファイルを前記コンテンツ提供装置に複写することとしてもよい。
【００１８】
また、上記本発明の情報配信システムにおいて、送受信する情報の秘匿性が確保された通信回線を介して前記差し替え情報を前記ポータル情報配信装置に送信するための、該ポータル情報配信装置に該通信回線を介して通信可能に接続されたポータル情報登録端末を有することとしてもよい。
【００１９】
さらに、上記本発明の情報配信システムにおいて、前記配信コンテンツの配信形態に対応して前記コンテンツ提供装置を複数備えたこととしてもよい。
【００２０】
一方、上記目的を達成するための本発明の情報配信方法は、画像および文書の部品のうち少なくともいずれか一方を含む配信コンテンツのソースコードを格納したコンテンツ構成情報管理サーバと前記配信コンテンツをネットワークおよび放送波のうち少なくともいずれか一方を介して閲覧可能にするためのコンテンツ提供装置とを備えた情報配信システムによる、前記配信コンテンツを提供するための情報配信方法であって、
前記配信コンテンツの配信開始日時および配信終了日時を保存し、
前記配信開始日時に前記配信コンテンツを前記コンテンツ構成情報管理サーバから前記コンテンツ提供装置に複写し、
前記配信終了日時に前記配信コンテンツを前記コンテンツ提供装置から削除するものである。
【００２１】
また、本発明の情報配信方法は、画像および文書の部品のうち少なくともいずれか一方を含む配信コンテンツのソースコードを格納したコンテンツ構成情報管理サーバと前記配信コンテンツをネットワークおよび放送波のうち少なくともいずれか一方を介して閲覧可能にするためのコンテンツ提供装置とを備えた情報配信システムによる、前記配信コンテンツを提供するための情報配信方法であって、
前記配信コンテンツに含まれる修正対象ファイルの文書管理ＩＤ、ファイル名および公開先ＵＲＬならびに該修正対象ファイルに替わる差し替えファイルの文書管理ＩＤおよびファイル名を含む連携コンテンツ構成情報と該差し替えファイルとを前記コンテンツ構成情報管理サーバに格納し、
前記修正対象ファイルの文書管理ＩＤと前記差し替えファイルの文書管理ＩＤを含む差し替え情報が操作者により入力されると、前記コンテンツ構成情報管理サーバの前記連携コンテンツ構成情報から前記修正対象ファイルのファイル名と前記差し替えファイルのファイル名とを読み出し、
前記コンテンツ提供装置の前記ソースコードに記述された前記修正対象ファイルのファイル名を前記差し替えファイルのファイル名に変更し、
前記コンテンツ構成情報管理サーバから前記公開先ＵＲＬに前記差し替えファイルを複写するものである。
【００２２】
さらに、本発明の情報配信方法は、画像および文書の部品のうち少なくともいずれか一方を含む配信コンテンツのソースコードを格納したコンテンツ構成情報管理サーバと前記配信コンテンツをネットワークおよび放送波のうち少なくともいずれか一方を介して閲覧可能にするためのコンテンツ提供装置とを備えた情報配信システムによる、前記配信コンテンツを提供するための情報配信方法であって、
複数の前記配信コンテンツに共通の部品である共通部品の存在位置を示すための、該共通部品を有する配信コンテンツのページのファイル名および文書管理ＩＤならびに該配信コンテンツのページで該共通部品が表示される位置を示す位置ＩＤが記述された式からなる対応情報と前記共通部品の公開先ＵＲＬとを含む連携コンテンツ構成情報と前記共通部品に替わる新規部品を表示するための差し替えファイルとを前記コンテンツ構成情報管理サーバに格納し、
前記新規部品が表示される位置を示す更新位置ＩＤと前記共通部品のファイルのファイル名と前記差し替えファイルのファイル名を含む差し替え情報が操作者により入力されると、該更新位置ＩＤに一致する前記位置ＩＤを含む式を前記対応情報から取得し、
前記更新位置ＩＤを含む式から読み出した前記文書管理ＩＤを修正対象文書管理ＩＤとして、前記対応情報から該修正対象文書管理ＩＤのファイル名を読み出し、
前記修正対象文書管理ＩＤのファイル名を含むソースコードを前記コンテンツ提供装置から読み出し、
前記ソースコード内の前記共通部品のファイル名を前記差し替えファイルのファイル名に変更し、
前記コンテンツ構成情報管理サーバから前記公開先ＵＲＬに前記差し替えファイルを複写するものである。
【００２３】
また、上記目的を達成するための情報処理装置は、画像および文書の部品のうち少なくともいずれか一方を含む配信コンテンツを格納する情報処理装置であって、
基礎コンテンツから複数の配信コンテンツが操作者により作製されると、該複数の配信コンテンツに共通の部品である共通部品の存在位置を示すための、該共通部品を有する配信コンテンツのページのファイル名および文書管理ＩＤならびに該配信コンテンツのページで該共通部品が表示される位置を示す位置ＩＤが記述された式からなる対応情報を作成する構成である。
【００２４】
また、上記目的を達成するためのプログラムは、画像および文書の部品のうち少なくともいずれか一方を含む配信コンテンツを格納するコンピュータに実行させるためのプログラムであって、
基礎コンテンツから複数の配信コンテンツが操作者により作製されると、該複数の配信コンテンツに共通の部品である共通部品の存在位置を示すための、該共通部品を有する配信コンテンツのページのファイル名および文書管理ＩＤならびに該配信コンテンツのページで該共通部品が表示される位置を示す位置ＩＤが記述された式からなる対応情報を作成する処理を前記コンピュータに実行させるものである。
【００２５】
（作用）
上記本発明では、ポータル情報配信装置に格納された、配信開始日時および配信終了日時である配信スケジュールにしたがって、配信コンテンツがネットワークおよび放送波のうち少なくともいずれか一方を介して閲覧可能な状態になる。そのため、操作者がコンテンツ提供装置を操作して配信スケジュールに合わせて配信コンテンツを閲覧可能にしたり、削除する手間が省け、操作者の労力が軽減される。
【００２６】
また、本発明では、ポータル情報配信装置は、差し替え情報が入力されると、ファイル名変更信号をコンテンツ更新装置に送信し、コンテンツ更新装置は、受信したファイル名変更信号によりコンテンツ提供装置に格納された配信コンテンツの修正対象ファイルを差し替えファイルに変更する。そのため、操作者がコンテンツ提供装置を操作して差し替えファイルに更新する手間が省ける。
【００２７】
また、本発明では、ポータル情報配信装置は、差し替え情報が入力されると、部分更新情報をコンテンツ更新装置に送信し、コンテンツ更新装置は、受信した部分更新情報によりコンテンツ提供装置に格納された配信コンテンツの修正対象ファイルを差し替えファイルに変更する。そのため、操作者がコンテンツ提供装置を操作して差し替えファイルに更新する手間が省ける。
【００２８】
また、本発明では、連携コンテンツ構成情報に差し替えファイルのフォーマット形式が予め登録されているため、コンテンツ更新装置は、登録されたフォーマット形式で差し替えファイルをコンテンツ提供装置に複写する。そのため、操作者がコンテンツ提供装置を操作して所定のフォーマット形式で差し替えファイルを複写する手間が省ける。
【００２９】
また、本発明では、操作者がポータル情報登録端末を操作して、送受信する情報の秘匿性が確保された通信回線を介して差し替え情報をポータル情報配信装置に送信可能となる。そのため、配信コンテンツを提供しようとする企業は自社でポータル情報登録端末を備え、配信コンテンツの公開や更新を実行するための設備を複数の企業で共用すれば、各企業の設備コストの負担が軽減される。また、自社の差し替え情報が他の企業に漏洩するのを防げる。
【００３０】
また、本発明では、配信形態に対応して配信コンテンツが閲覧可能となり、また、配信コンテンツの内容が更新される。そのため、操作者が配信形態毎に配信コンテンツをコンテンツ提供装置に登録したり、配信コンテンツを更新する必要がなく、操作者の労力がより軽減される。
【００３１】
さらに、本発明では、基礎コンテンツから複数の配信コンテンツが作製されると、配信コンテンツに共通の部品である共通部品の存在位置を示す対応情報が作成される。そのため、共通の部品のファイルを差し替えファイルに更新する際、対応情報から各配信コンテンツのどの位置に共通の部品があるかを確認でき、各配信コンテンツ内を検索する手間が省け、より速く更新できる。
【００３２】
【発明の実施の形態】
本発明の情報配信システムは、操作者により配信コンテンツが更新されると配信形態に対応して各配信コンテンツを更新するものである。
【００３３】
本発明の情報配信システムの構成について説明する。
【００３４】
図１は本発明の情報配信システムの一構成例を示すブロック図である。
【００３５】
図１に示すように、企業からの依頼により配信コンテンツの構築および運営を受託する受託センタ１１には、本発明の情報配信システムとして、企業から基礎コンテンツを受け取るためのポータル登録情報受付装置１１２と、配信コンテンツ制作のためのテンプレート制作端末１１１と、配信コンテンツを格納するためのコンテンツ構成情報管理サーバ１１６と、配信コンテンツを視聴者に提供するための各種配信形態に対応したコンテンツ提供装置と、コンテンツ構成情報管理サーバ１１６から配信コンテンツを読み出してコンテンツ提供装置に複写するポータル情報配信装置１１３とが設けられている。
【００３６】
受託センタ１１に備えたコンテンツ提供装置には、放送系通信コンテンツを視聴者に提供するための放送系通信コンテンツ提供装置１１５と、ＷＥＢ系ＢＢコンテンツを視聴者に提供するためのＷＥＢ系ＢＢコンテンツ提供装置１１８とがある。コンテンツ提供装置に格納された配信コンテンツを更新するための、放送系通信コンテンツ更新装置１１４とＷＥＢ系ＢＢコンテンツ更新装置１１７がコンテンツ提供装置に対応して設けられている。
【００３７】
なお、受託センタ１１に備えた上述の各装置はＬＡＮ（Ｌｏｃａｌ  ＡｒｅａＮｅｔｗｏｒｋ）などの通信回線により相互に通信可能に接続されている。
【００３８】
図１に示すように、配信コンテンツの構築および運営を受託センタ１１に依頼する企業の一つである放送局１０は、ポータル登録情報受付装置１１２にコンテンツを登録するためのポータル情報登録端末１０１と、データ放送コンテンツおよび番組を多重化してデジタル放送波で送出するＭＵＸ（Ｍｕｌｔｉｐｌｅｘｅｒ：多重化装置）１０４と、ＭＵＸ１０４にデータ放送コンテンツを送信するデータ放送送出装置１０３と、データ放送送出装置１０３に格納されたデータ放送コンテンツを更新する自動制作装置１０２とを有する。そして、データ放送送出装置１０３はデータ放送コンテンツを視聴者に提供するためのコンテンツ提供装置となり、自動制作装置１０２はデータ放送コンテンツを更新するためのコンテンツ更新装置となる。
【００３９】
放送局１０に備えた上述の各装置はＬＡＮなどの通信回線で相互に通信可能に接続されており、放送局１０内の通信回線と受託センタ１１内の通信回線は送受信される情報秘匿のために専用回線６００で通信可能に接続されている。
【００４０】
放送局１０が放送する番組を視聴する視聴者側には、ＭＵＸ１０４から送出されるデジタル放送波を受信可能なテレビ受信機（不図示）が設けられている。テレビ受信機は、デジタル放送波による映像およびデータ放送コンテンツを表示するための表示部と、データ放送コンテンツを格納するための記憶部と、図に示さないネットワークを介して放送系通信コンテンツ提供装置１１５およびＷＥＢ系ＢＢコンテンツ提供装置１１８と通信可能にするための通信部と、各部を制御する制御部とを有する。記憶部には、各コンテンツ提供装置に格納された放送系通信コンテンツおよびＷＥＢ系ＢＢコンテンツを閲覧するためのアプリケーションソフトであるブラウザが格納されている。
【００４１】
次に、上記各構成について詳細に説明する。
【００４２】
コンテンツ構成情報管理サーバ１１６は、放送局１０より提供される基礎コンテンツから作製される複数の配信コンテンツからなる連携コンテンツと、連携コンテンツ毎に異なる連携コンテンツＩＤを含む連携コンテンツ構成情報とを保存する。連携コンテンツ構成情報は、各配信コンテンツに関する情報である配信コンテンツ構成情報と、配信コンテンツ同士を連携づけるための情報である連携情報と、配信コンテンツの配信開始日時および配信終了日時である配信スケジュールを含むコンテンツ配信制御情報とを含んでいる。連携コンテンツＩＤで連携コンテンツを分類して放送局やサービス毎に管理している。
【００４３】
なお、データ放送コンテンツ、放送系通信コンテンツおよびＷＥＢ系ＢＢコンテンツはＪＰＥＧ（Ｊｏｉｎｔ  Ｐｈｏｔｏｇｒａｐｈｉｃ  Ｅｘｐｅｒｔｓ  Ｇｒｏｕｐ）などのモノメディアおよび文書の部品のうち少なくとも一つを備えている。これらの配信コンテンツと連携コンテンツ構成情報はＸＭＬ（Ｅｘｔｅｓｉｂｌｅ  Ｍａｒｋｕｐ  Ｌａｎｇｕａｇｅ）で記述されている。
【００４４】
ここで、コンテンツ構成情報管理サーバ１１６が保存する連携コンテンツ構成情報の一例を説明する。
【００４５】
表１および表２に連携コンテンツ構成情報の一例を示す。
【００４６】
【表１】
2005012323.tif 000003
【００４７】
【表２】
2005012323.tif 000004
表１に示すように、連携コンテンツ構成情報は、連携コンテンツＩＤと各配信コンテンツについての配信コンテンツ構成情報の他に、連携コンテンツのタイトルと管理情報を有する。データ放送コンテンツのコンテンツ構成情報には、文書管理ＩＤ、タイトル、管理情報、管理情報通知先、コンテンツ提供装置における格納場所を示す公開先ＵＲＬ、アカウント、更新方法、更新通知先、およびコンテンツ本体が格納された場所を示すＢＭＬ文書ファイルＵＲＬがある。管理情報には、著作権情報、課金情報および認証情報等がある。アカウントは、データ放送コンテンツにアクセス要求する者がアクセスを許可された者であるかを認証するためのものである。更新方法には必要に応じてフォーマット形式も記述されている。
【００４８】
表２に示すように、放送系通信コンテンツとＷＥＢ系ＢＢコンテンツの配信コンテンツ構成情報についても上記データ放送コンテンツの場合と同様である。連携情報には、上記３つの配信コンテンツのページを関連づけるページ間関連情報と、配信コンテンツのページのどの位置にどんな部品が表示されているかを示す提示情報とがある。コンテンツ配信制御情報には、配信スケジュールと、コンテンツの更新日時を含む配信履歴とがある。
【００４９】
放送局１０のポータル情報登録端末１０１は、操作者の操作により受託センタ１１のポータル登録情報受付装置１１２を介してコンテンツ構成情報管理サーバ１１６に基礎コンテンツを登録し、作製された配信コンテンツを参照および削除するための情報処理装置である。放送局１０の操作者は、ポータル情報登録端末１０１を操作して、自社の連携コンテンツ構成情報に対して、連携コンテンツのタイトルおよび管理情報ならびにコンテンツ構成情報の公開先ＵＲＬを登録し、連携情報および配信スケジュールを参照および変更する。
【００５０】
受託センタ１１のポータル登録情報受付装置１１２は、放送局１０のポータル情報登録端末１０１から基礎コンテンツを受信すると、基礎コンテンツをテンプレート制作端末１１１に送出する。
【００５１】
テンプレート制作端末１１１は、ポータル登録情報受付装置１１２から受け取った基礎コンテンツを基にしてデータ放送コンテンツ、放送系通信コンテンツおよびＷＥＢ系ＢＢコンテンツを制作するためのパーソナルコンピュータおよびワークステーション等の情報処理装置である。
【００５２】
受託センタ１１の操作者がテンプレート制作端末１１１を操作して、放送局側からの要求にしたがって表示画面に部品を配置すると、テンプレート制作端末１１１は、部品の配置についての情報であるレイアウト情報を含むソースコードを格納するとともに、これらのレイアウト情報をもとにして作成されたテンプレートを格納する。また、作成された配信コンテンツに連携コンテンツＩＤを付与して、配信コンテンツおよび連携コンテンツ構成情報をコンテンツ構成情報管理サーバ１１６に送信すると、コンテンツ構成情報管理サーバ１１６は配信コンテンツおよび連携コンテンツ構成情報を格納する。
【００５３】
なお、レイアウト情報を記述するための言語は、例えば、データ放送コンテンツおよび放送系通信コンテンツのレイアウト情報はＢＭＬ（ＢｒｏａｄｃａｓｔＭａｒｋｕｐ  Ｌａｎｇｕａｇｅ）文書であり、ＷＥＢ系ＢＢコンテンツのレイアウト情報はＨＴＭＬ文書である。
【００５４】
ポータル情報配信装置１１３は、コンテンツ構成情報管理サーバ１１６から新規にコンテンツが登録された旨の信号を受け取ると、各配信コンテンツをコンテンツ提供装置での表示形式に対応して配信コンテンツのモノメディアおよび文書をフォーマット変換して、放送系通信コンテンツ提供装置１１５、ＷＥＢ系ＢＢコンテンツ提供装置１１８、および放送局１０のデータ放送送出装置１０３に送信する。また、コンテンツ構成情報管理サーバ１１６に格納された各連携コンテンツのコンテンツ配信制御情報から配信スケジュールを読み出して、配信スケジュールにしたがってコンテンツ提供装置に格納した各配信コンテンツをネットワーク上に公開したり、コンテンツ提供装置から削除する。
【００５５】
放送系通信コンテンツ提供装置１１５およびＷＥＢ系ＢＢコンテンツ提供装置１１８はＷＥＢサーバである。視聴者がテレビ受信機を操作して、通信プロトコルとしてＨＴＴＰ（ＨｙｐｅｒＴｅｘｔ  Ｔｒａｎｓｆｅｒ  Ｐｒｏｔｏｃｏｌ）によるＵＲＬ（Ｕｎｉｆｏｒｍ  Ｒｅｓｏｕｒｃｅ  Ｌｏｃａｔｏｒｓ）を指定することで、テレビ受信機はコンテンツ提供装置に格納された配信コンテンツをネットワークを介して受信可能となる。
【００５６】
ポータル情報配信装置１１３は、ポータル登録情報受付装置１１２から配信コンテンツの内容が更新された旨の信号を受け取ると、更新内容を含む更新情報を、放送系通信コンテンツ更新装置１１４、ＷＥＢ系ＢＢコンテンツ更新装置１１７、および放送局１０の自動制作装置１０２に送信する。
【００５７】
放送系通信コンテンツ更新装置１１４は、放送系通信コンテンツ提供装置１１５に格納された更新対象の放送系通信コンテンツをポータル情報配信装置１１３から受信する更新情報にしたがって更新する。
【００５８】
ＷＥＢ系ＢＢコンテンツ更新装置１１７は、ＷＥＢ系ＢＢコンテンツ提供装置１１８に格納された更新対象のＷＥＢ系ＢＢコンテンツをポータル情報配信装置１１３から受信する更新情報にしたがって更新する。
【００５９】
放送局１０の自動制作装置１０２は、データ放送送出装置１０３が送出する更新対象のデータ放送コンテンツをポータル情報配信装置１１３から受信する更新情報にしたがって更新する。
【００６０】
次に、配信コンテンツおよびテンプレートの具体例について説明する。
【００６１】
図２は配信コンテンツおよびテンプレートの一構成例を示す図である。
【００６２】
図２には、テレビ受信機の表示部に表示させるデータ放送コンテンツのページと、このページからリンク動作で表示部に表示させる放送系通信コンテンツのページが示されている。また、ブロードバンド伝送によりテレビ受信機の表示部に表示させるＷＥＢ系ＢＢコンテンツのページが示されている。ＷＥＢ系ＢＢコンテンツのページの内容は、図２に示すデータ放送コンテンツおよび放送系通信コンテンツと同様である。以下に、表示される各ページについて詳細に説明する。
【００６３】
データ放送コンテンツのページには、モノメディアとなるＪＰＥＧ画像の「ＪＰＥＧ−Ｇ画像」と、文書となる「タイトル１」、「タイトル２」および「タイトル３」が表示されている。そして、これら「タイトル１」〜「タイトル３」はリンク動作のためのボタンである。このデータ放送コンテンツのページは、ファイル名が「Ｓｔａｒｔｕｐ．ｂｍｌ」であり、文書管理ＩＤ＝１０００１である。
【００６４】
視聴者がテレビ受信機を操作して、データ放送コンテンツのページにあるボタン「タイトル１」を押すと、ファイル名「Ｔｉｔｌｅ１．ｂｍｌ」、文書管理ＩＤ＝２０００１の放送系通信コンテンツのページが表示されるようにリンクが設定されている。同様にして、ボタン「タイトル２」と、「タイトル３」のそれぞれについても、ファイル名「Ｔｉｔｌｅ２．ｂｍｌ」、文書管理ＩＤ＝２０００２のページと、ファイル名「Ｔｉｔｌｅ３．ｂｍｌ」、文書管理ＩＤ＝２０００３のページのそれぞれが表示されるようにリンクが設定されている。
【００６５】
放送系通信コンテンツのファイル名「Ｔｉｔｌｅ１．ｂｍｌ」のページには、位置ＩＤ＝２０００の位置にＪＰＥＧ１画像が表示され、位置ＩＤ＝２００１の位置に文書が表示されている。ファイル名「Ｔｉｔｌｅ２．ｂｍｌ」のページには、位置ＩＤ＝２１００の位置にＪＰＥＧ２画像が表示され、位置ＩＤ＝２１０１の位置に文書が表示されている。
【００６６】
ＷＥＢ系ＢＢコンテンツのトップページは、図２に示すデータ放送コンテンツと同一の基礎コンテンツから作成されるため、データ放送コンテンツのページと同様の内容である。ＷＥＢ系ＢＢコンテンツのトップページは、ファイル名が「ｉｎｄｅｘ．ｈｔｍｌ」であり、文書管理ＩＤ＝３０００１である。
【００６７】
ＷＥＢ系ＢＢコンテンツのトップページにあるボタン「タイトル１」のリンク動作により、ファイル名「Ｔｉｔｌｅ１．ｈｔｍｌ」、文書管理ＩＤ＝３０００２のページが表示される。同様にして、ボタン「タイトル２」と、「タイトル３」のそれぞれについても、ファイル名「Ｔｉｔｌｅ２．ｈｔｍｌ」、文書管理ＩＤ＝３０００２のページと、ファイル名「Ｔｉｔｌｅ３．ｈｔｍｌ」、文書管理ＩＤ＝３０００３のページのそれぞれが表示される。
【００６８】
ＷＥＢ系ＢＢコンテンツのトップページからリンク動作により表示されるページの内容は、「タイトル１」〜「タイトル３」のボタンに対応して放送系通信コンテンツのページと同様である。
【００６９】
なお、操作者がテンプレート制作端末１１１を操作して、図２に示したページのモノメディアや文書の内容を変更可能にすることで、ページのうちモノメディアおよび文書などの部品を除いた部分がテンプレートとなる。
【００７０】
次に、受託センタ１１の操作者がテンプレート制作端末１１１を操作して、図２に示した配信コンテンツおよびテンプレートを作製する手順について説明する。
【００７１】
受託センタ１１の操作者は、放送局側からの要求にしたがってＷＥＢ系ＢＢコンテンツのトップページ（ｉｎｄｅｘ．ｈｔｍｌ）を作製するために、テンプレート制作端末１１１を操作して、ＨＴＭＬのエディタなどで、ポータル登録情報受付装置１１２から受信した基礎コンテンツのうちＪＰＥＧ−Ｇ画像を配置し、続いて、タイトル１〜３のボタンのデザインを決めて配置する。
【００７２】
テンプレート制作端末１１１は、配置されたＪＰＥＧ画像およびボタンなどの部品に対して、ＨＴＭＬを構成する各タグの属性である位置ＩＤを割り当てる。ここでは、図２に示したように、テンプレート制作端末１１１は、ＪＰＥＧ−Ｇ画像に位置ＩＤ＝１０００を割り当て、タイトル１〜３のボタンには位置ＩＤ＝１００１、位置ＩＤ＝１００２、位置ＩＤ＝１００３をそれぞれ割り当てる。
【００７３】
続いて、操作者は、ＷＥＢ系ＢＢコンテンツのトップページからリンク動作により表示されるタイトル１のページ（Ｔｉｔｌｅ１．ｈｔｍｌ）を作製するために、テンプレート制作端末１１１を操作して、ＪＰＥＧ１画像を配置し、ＪＰＥＧ１画像の説明文を配置する。テンプレート制作端末１１１は、ＪＰＥＧ１画像およびその説明文が配置されると、ＪＰＥＧ１画像に位置ＩＤ＝２０００を割り当て、その説明文に位置ＩＤ＝２００１を割り当てる。
【００７４】
また、操作者は、タイトル１のページと同様にして、タイトル２のページ（Ｔｉｔｌｅ２．ｈｔｍｌ）とタイトル３のページ（Ｔｉｔｌｅ３．ｈｔｍｌ）を作製する。テンプレート制作端末１１１は、ＪＰＥＧ２画像に位置ＩＤ＝２１００、その説明文に位置ＩＤ＝２１０１を割り当て、ＪＰＥＧ３画像に位置ＩＤ＝２２００、その説明文に位置ＩＤ＝２２０１を割り当てる。そして、このようにして作成されたＷＥＢ系ＢＢコンテンツを格納する。
【００７５】
続いて、操作者がテンプレート制作端末１１１を操作してＷＥＢ系ＢＢコンテンツを複製する旨の指示を入力すると、テンプレート制作端末１１１は格納したＨＴＭＬ文書のＷＥＢ系ＢＢコンテンツを複製する。複製したＷＥＢ系ＢＢコンテンツをデータ放送コンテンツおよび放送系通信コンテンツに変換するために、操作者がテンプレート制作端末１１１を操作して複製したＷＥＢ系ＢＢコンテンツをＨＴＭＬ−ＢＭＬ変換する旨の指示を入力すると、複製したＷＥＢ系ＢＢコンテンツをＨＴＭＬ−ＢＭＬ変換してＢＭＬ文書のデータ放送コンテンツと放送系通信コンテンツを作成する。このとき、ＨＴＭＬ文書で割り当てられた位置ＩＤはＢＭＬ文書のタグの属性として引き継がれる。
【００７６】
このようにして、図２に示した配信コンテンツを作成する。また、テンプレート制作端末１１１は、図２に示した配信コンテンツの部品を除いた部分をテンプレートとして識別番号を付与して格納する。
【００７７】
その後、テンプレート制作端末１１１は、データ放送コンテンツ、放送系通信コンテンツおよびＷＥＢ系ＢＢコンテンツの各配信コンテンツに対して文書管理ＩＤを割り当てる。
【００７８】
また、テンプレート制作端末１１１は、基礎コンテンツからデータ放送コンテンツ、放送系通信コンテンツおよびＷＥＢ系ＢＢコンテンツが作製されると、配信コンテンツに共通の部品である共通部品の存在位置を示す対応情報を含む連携情報を作成する。
【００７９】
さらに、操作者が各配信コンテンツ構成情報について、文書管理ＩＤを除く項目を入力すると、テンプレート制作端末１１１は、配信コンテンツ構成情報の中のタイトル、公開先ＵＲＬ、ＢＭＬ文書ファイルＵＲＬ、および管理情報のそれぞれに、項目番号１〜４をそれぞれ割り当てる。そして、上記データ放送コンテンツ、放送系通信コンテンツおよびＷＥＢ系ＢＢコンテンツの連携コンテンツに連携コンテンツＩＤを付与して、連携コンテンツおよび連携コンテンツ構成情報をコンテンツ構成情報管理サーバ１１６に送信する。
【００８０】
次に、上述のようにして作成された連携コンテンツの連携コンテンツ構成情報について詳細に説明する。
【００８１】
表３乃至表５に配信コンテンツ構成情報の一例を示す。なお、表１および表２に示した連携コンテンツ構成情報に対応して番号（３）乃至（６）を記載している。
【００８２】
【表３】
2005012323.tif 000005
【００８３】
【表４】
2005012323.tif 000006
【００８４】
【表５】
2005012323.tif 000007
表３に示すように、データ放送コンテンツ構成情報として、文書管理ＩＤ＝１０００１、タイトル「図２に示したトップページ」等が記述されている。同様に、表４と表５に、放送系通信コンテンツ構成情報とＷＥＢ系ＢＢコンテンツ構成情報がそれぞれ記述されている。
【００８５】
次に、連携コンテンツ構成情報のうち、表２に示した連携情報の内容について詳細に説明する。
【００８６】
連携情報のうちページ間関連情報には、表示されるページ間で共通の部品を示す対応情報と、リンク動作に関する情報を示すページ間リンク情報がある。対応情報ではファイル名と文書管理ＩＤで配信コンテンツを識別可能であり、ページ間リンク情報ではファイル名でリンク元およびリンク先を識別可能である。
【００８７】
ここで、対応情報について詳細に説明する。
【００８８】
表６に、図２に示した配信コンテンツの対応情報を示す。なお、表６ではＸＭＬ文書形式にならって＜ＣｏＩｎｆｏ＞要素で記述している。また、以下では、属性のｄａｔａＣｏｎｔｅｎｔｓはデータ放送コンテンツを示し、ｃｏｍｍＣｏｎｔｅｎｔｓは放送系通信コンテンツを示し、ｗｗｗＣｏｎｔｅｎｔｓはＷＥＢ系ＢＢコンテンツを示す。各要素の属性ｄｏｃｕｍｅｎｔＩＤは文書管理ＩＤを示し、ｕｒｌはＢＭＬ文書またはＨＴＭＬ文書のファイル名を示す。ｉｄは各配信コンテンツのページ内の位置を示すことから部品を識別するための情報であり、ＸＭＬ文書におけるタグのｉｄ属性の値に相当する。
【００８９】
【表６】
2005012323.tif 000008
表６に示すように、２行目の式は、文書管理ＩＤ＝１０００１、ファイル名「Ｓｔａｒｔｕｐ．ｂｍｌ」のページ内で位置ＩＤ＝１０００の位置の部品と、文書管理ＩＤ＝３０００１、ファイル名「ｉｎｄｅｘ．ｈｔｍｌ」のページ内で位置ＩＤ＝１０００の位置の部品が共通であることを示す。この式により、ポータル情報配信装置１１３は、図２に示したデータ放送コンテンツのページのＪＰＥＧ−Ｇ画像がＷＥＢ系ＢＢコンテンツのトップページのＪＰＥＧ−Ｇ画像と共通であることを認識可能となる。
【００９０】
次に、ページ間関連情報のうち、ページ間リンク情報について詳細に説明する。
【００９１】
表７に、図２に示したページ間のリンク情報を示す。なお、ＸＭＬ文書形式にならって＜Ｌｉｎｋ＞要素で記述している。また、以下では、ｆｒｏｍ属性はリンク元の情報を示し、ｔｏ属性はリンク先の情報を示す。さらに、ｔｙｐｅ値はコンテンツの種別を示す。
【００９２】
【表７】
2005012323.tif 000009
表７に示すように、２行目の式は、リンク動作の設定されたリンク元が文書管理ＩＤ＝１０００１、ファイル名「Ｓｔａｒｔｕｐ．ｂｍｌ」のデータ放送コンテンツにおける位置ＩＤ＝１００１の位置で、リンク先が文書管理ＩＤ＝２０００１、ファイル名「Ｔｉｔｌｅ１．ｂｍｌ」で特定されるページであることを示す。
【００９３】
次に、連携情報のうち提示情報について、具体例を用いて詳細に説明する。
【００９４】
提示情報は上記対応情報にて指定されたｉｄや、ＢＭＬ文書またはＨＴＭＬ文書内のタグに割り当てられたｉｄをキーとする。提示情報の指定方法として、ＸＭＬ文書形式にならって＜ｓｈｏｗＩｎｆｏ＞要素を利用している。
【００９５】
例えば、図２に示したデータ放送コンテンツのページとＷＥＢ系ＢＢコンテンツのトップページの位置ＩＤ＝１００１で特定される位置に「タイトル１」を表示させている場合の提示情報を式１に示す。
【００９６】
【式１】
2005012323.tif 000010
式１に示すように、ａｒｅａＩＤ属性は表示させたい位置のｉｄ値を指定するためのもので、タイトル１を表示させるボタン部分はｉｄ＝１００１である。ｃｏｎｔｅｎｔｓＦｒｏｍ属性は配信コンテンツから情報を引用する場合の引用先を指定するものである。式１では、文書管理ＩＤ＝２０００１で特定される放送系通信コンテンツの配信コンテンツ構成情報のうち、「ｉｔｅｍＮＯ：１」で指定された項目番号１の「タイトル１」が位置ＩＤ＝１００１で特定されるボタン部分の位置に表示されることを示す。
【００９７】
また、図２に示した放送系通信コンテンツのページとＷＥＢ系ＢＢコンテンツのページの位置ＩＤ＝２０００で特定される位置にＪＰＥＧ１画像を表示させている場合の提示情報を式２に示す。なお、ｃｏｎｔｅｎｔｓ属性は表示させる画像等に関する情報を指定するためのものである。画像の種別は、ＨＴＭＬにならって種別の少ないＡＲＩＢ（Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓｅｓ）による規格、例えば、「ＡＲＩＢ  ＳＴＤ−Ｂ２４」とする。ｕｒｌはＪＰＥＧ画像のファイルの格納場所を示す。
【００９８】
【式２】
2005012323.tif 000011
式２では、位置ＩＤ＝２０００の位置に表示されるＪＰＥＧ１画像がｕｒｌで特定される位置に格納されていることを示す。
【００９９】
さらに、図２に示した放送系通信コンテンツのページとＷＥＢ系ＢＢコンテンツのページの位置ＩＤ＝２００１で特定される位置に、図２に示すテキストを表示させている場合の提示情報を式３に示す。
【０１００】
【式３】
2005012323.tif 000012
式３に示すように、表示させるテキストはタグの子要素としている。
【０１０１】
なお、放送局１０の操作者はポータル情報登録端末１０１を操作することで、コンテンツ構成情報管理サーバ１１６に格納された自社の連携コンテンツに対して、タイトルおよび管理情報の変更や追加をすることが可能である。また、以下では、図２に示した連携コンテンツについて、連携コンテンツＩＤ＝８００とする。
【０１０２】
次に、上述のようにしてコンテンツ構成情報管理サーバ１１６に格納された連携コンテンツを視聴者に対して公開する手順について説明する。
【０１０３】
図３は連携コンテンツを視聴者に対して公開するための手順を示すブロック図であり、図４はその手順を示すフローチャートである。
【０１０４】
放送局１０の操作者は、連携コンテンツ構成情報に公開先ＵＲＬを登録するために、ポータル情報登録端末１０１を操作して、自社のコンテンツの連携コンテンツＩＤとアカウントを入力する。ポータル情報登録端末１０１が連携コンテンツＩＤとアカウントをポータル登録情報受付装置１１２を介してコンテンツ構成情報管理サーバ１１６に送信すると、コンテンツ構成情報管理サーバ１１６は、受信した連携コンテンツＩＤの連携コンテンツ構成情報に含まれるアカウントと受信したアカウントが一致するか否かを調べ、アカウントが一致すると、連携コンテンツ構成情報をポータル情報登録端末１０１に送信する。ポータル情報登録端末１０１は連携コンテンツ構成情報を受信すると、連携コンテンツ構成情報を表示させる。
【０１０５】
放送局１０の操作者は、表示された連携コンテンツ構成情報を見ながらポータル情報登録端末１０１を操作して、各配信コンテンツの公開先ＵＲＬを入力する。ポータル情報登録端末１０１は入力された公開先ＵＲＬの情報をコンテンツ構成情報管理サーバ１１６に送信する。コンテンツ構成情報管理サーバ１１６はポータル情報登録端末１０１から公開先ＵＲＬの情報を受信すると、格納された連携コンテンツおよび連携コンテンツ構成情報の公開先ＵＲＬの情報を受信した情報に更新する。
【０１０６】
続いて、放送局１０の操作者がポータル情報登録端末１０１を操作して、コンテンツ配信制御情報の配信スケジュールを入力すると、ポータル情報登録端末１０１は配信スケジュールをコンテンツ構成情報管理サーバ１１６に送信する。コンテンツ構成情報管理サーバ１１６はポータル情報登録端末１０１から受信した配信スケジュールを連携コンテンツ構成情報のコンテンツ配信制御情報に格納する（ステップＳ３０１）。
【０１０７】
また、コンテンツ構成情報管理サーバ１１６は、配信スケジュールが登録されると、配信スケジュールが登録された連携コンテンツの連携コンテンツＩＤと配信スケジュールが登録されたことを通知するための登録通知信号とをポータル情報配信装置１１３に送信する。ポータル情報配信装置１１３は、コンテンツ構成情報管理サーバ１１６から連携コンテンツＩＤと登録通知信号を受け取ると、コンテンツ構成情報管理サーバ１１６にアクセスして、連携コンテンツＩＤで特定される連携コンテンツの構成情報から配信スケジュールを読み出して連携コンテンツＩＤとともに格納する（ステップＳ３０２）。
【０１０８】
ポータル情報配信装置１１３は、受信した配信スケジュールを監視し、登録された配信開始日時になると、連携コンテンツＩＤで特定される連携コンテンツ構成情報のアカウントをコンテンツ構成情報管理サーバ１１６から読み出す。続いて、読み出したアカウントをデータ放送送出装置１０３に送信してアクセス可能にし、コンテンツ構成情報管理サーバ１１６からデータ放送コンテンツをデータ放送送出装置１０３の公開先ＵＲＬに複写する（ステップＳ３０３）。
【０１０９】
また、ステップＳ３０３と同様にして放送系通信コンテンツ提供装置１１５とアクセス可能にし、コンテンツ構成情報管理サーバ１１６から放送系通信コンテンツを放送系通信コンテンツ提供装置１１５の公開先ＵＲＬに複写する（ステップＳ３０４）。
【０１１０】
さらに、ステップＳ３０３と同様にしてＷＥＢ系ＢＢコンテンツ提供装置１１８とアクセス可能にし、コンテンツ構成情報管理サーバ１１６からＷＥＢ系ＢＢコンテンツをＷＥＢ系ＢＢコンテンツ提供装置１１８の公開先ＵＲＬに複写する（ステップＳ３０５）。
【０１１１】
なお、ポータル情報配信装置１１３は、配信コンテンツを構成する画像ファイルおよび文書ファイルの複写先が複写元のフォーマットと異なる場合、連携コンテンツ構成情報を参照して、画像ファイルおよび文書ファイルを複写先に合わせてフォーマットを変換する。例えば、ＪＰＥＧ画像について、ＷＥＢ系ＢＢコンテンツでは「４：２：２フォーマット」に対応しているが、データ放送コンテンツおよび放送系通信コンテンツでは「４：２：２フォーマット」よりも画像の粗い「４：２：０フォーマット」にしか対応していないため、フォーマット変換する。以下に、このフォーマット変換についての具体例を説明する。
【０１１２】
図２に示した配信コンテンツのタイトル１のリンク動作により表示されるページ（Ｔｉｔｌｅ１．ｂｍｌ、Ｔｉｔｌｅ１．ｈｔｍｌ）において、位置ＩＤ＝２０００の位置にＪＰＥＧ１画像が表示されている。この場合の提示情報を式４に示す。
【０１１３】
【式４】
2005012323.tif 000013
放送局１０の操作者がこのＪＰＥＧ１画像（ｊｐｅｇ１．ｊｐｇ）を「４：２：２フォーマット」で作成して、コンテンツ構成情報管理サーバ１１６はそのまま格納していたものとする。ポータル情報配信装置１１３は、ＪＰＥＧ１画像を放送系通信コンテンツ提供装置１１５に複写するとき、放送系通信コンテンツ構成情報に記載されたフォーマット形式「４：２：０フォーマット」に変換して指定された公開先ＵＲＬに複写する。
【０１１４】
また、ポータル情報配信装置１１３は、各配信コンテンツ構成情報に含まれる管理情報を複写先のフォーマットに合わせて変換して複写する（ステップＳ３０６〜Ｓ３０９）。その後、配信日時と配信結果をコンテンツ構成情報管理サーバ１１６に送信する。コンテンツ構成情報管理サーバ１１６は、ポータル情報配信装置１１３から受け取った配信日時と配信結果を配信履歴に格納する（ステップＳ３１０）。
【０１１５】
上述のようして、コンテンツ情報配信装置１１３が公開先ＵＲＬに各配信コンテンツを複写することで、視聴者はテレビ受信機を操作して配信コンテンツを閲覧可能となる。
【０１１６】
なお、ここでは、放送局１０の操作者がポータル情報登録端末１０１を操作して配信コンテンツの公開先ＵＲＬを登録しているが、予めコンテンツ構成情報管理サーバ１１６の連携コンテンツおよび連携コンテンツ構成情報に記述されていてもよい。また、コンテンツ構成情報管理サーバ１１６は配信スケジュールが登録されると、その情報をポータル情報配信装置１１３に送信しているが、連携コンテンツが登録される際、連携コンテンツ構成情報に含まれる配信スケジュールをポータル情報配信装置１１３に送信してもよい。
【０１１７】
次に、各配信コンテンツの公開を終了する場合について説明する。
【０１１８】
ポータル情報配信装置１１３は、格納した配信スケジュールを監視し、登録された配信終了日時になると、格納した連携コンテンツＩＤから特定される連携コンテンツ構成情報の公開先ＵＲＬをコンテンツ構成情報管理サーバ１１６から読み出し、放送系通信コンテンツ提供装置１１５の公開先ＵＲＬのコンテンツを削除する。また、同様にして、ＷＥＢ系ＢＢコンテンツ提供装置１１８の公開先ＵＲＬのコンテンツを削除する。
【０１１９】
なお、データ放送送出装置１０３のデータ放送コンテンツは、放送局１０の操作者が操作することで削除可能としているが、ポータル情報配信装置１１３が削除するように予め設定してもよい。
【０１２０】
また、放送局１０の操作者がコンテンツ配信制御情報の配信スケジュールをポータル情報登録端末１０１を操作してコンテンツ構成情報管理サーバ１１６に登録したが、番組の詳細な放送スケジュールが格納されたＥＤＰＳ（Ｅｌｅｃｔｒｏｎｉｃ  Ｄａｔａ  Ｐｒｏｃｅｓｓｉｎｇ  Ｓｙｓｔｅｍ：営業放送システム）を放送局１０側に備え、ＥＤＰＳが配信スケジュールを専用回線６００およびポータル登録情報受付装置１１２を介してコンテンツ構成情報管理サーバ１１６に登録するようにしてもよい。
【０１２１】
上述のようにして、ポータル情報配信装置１１３に格納された配信スケジュールにしたがって、配信コンテンツがネットワークを介して閲覧可能な状態になる。そのため、操作者がコンテンツ提供装置を操作して配信スケジュールに合わせて配信コンテンツを閲覧可能にしたり、削除する手間が省け、操作者の労力が軽減される。
【０１２２】
次に、配信コンテンツのページ内の一部を更新する手順について説明する。ここでは、図２に示した放送系通信コンテンツ（Ｔｉｔｌｅ１．ｂｍｌ）の位置ＩＤ＝２０００で特定される位置のＪＰＥＧ１画像のファイルを「ｊｐｅｇ１．ｊｐｅｇ」から「ｊｐｅｇｎｅｗ．ｊｐｅｇ」に変更する場合について説明する。また、位置ＩＤ＝２０００は、新規部品となるファイルの「ｊｐｅｇｎｅｗ．ｊｐｅｇ」が表示される位置となる更新位置ＩＤである。
【０１２３】
図５は配信コンテンツのページ内の一部を更新する手順を示すブロック図であり、図６はその手順を示すフローチャートである。
【０１２４】
放送局１０の操作者がポータル情報登録端末１０１を操作して、更新対象となる連携コンテンツの連携コンテンツＩＤを入力し、続いて、提示情報を要求する旨の信号である提示情報要求信号を入力すると、ポータル情報登録端末１０１は連携コンテンツＩＤと提示情報要求信号をポータル登録情報受付装置１１２を介してコンテンツ構成情報管理サーバ１１６に送信する。コンテンツ構成情報管理サーバ１１６はポータル情報登録端末１０１から連携コンテンツＩＤと提示情報要求信号を受信すると、連携コンテンツＩＤで特定される連携コンテンツ構成情報の提示情報をポータル情報登録端末１０１に送信する。ポータル情報登録端末１０１はコンテンツ構成情報管理サーバ１１６から受信した提示情報を表示する。
【０１２５】
操作者は、ポータル情報登録端末１０１を操作して、表示された提示情報から位置ＩＤ＝２０００で特定される位置に表示されるファイルを捜すために、「ａｒｅａＩＤ＝２０００」を含む式を検索する。検索により上記式２を捜し出すと、修正対象ファイルのファイル名「ｊｐｅｇ１．ｊｐｅｇ」を差し替えファイルのファイル名「ｊｐｅｇｎｅｗ．ｊｐｅｇ」に変更する旨の更新内容を入力し、ファイル名「ｊｐｅｇｎｅｗ．ｊｐｅｇ」の差し替えファイルを登録する。
【０１２６】
ポータル情報登録端末１０１は、更新内容が入力されると、連携コンテンツＩＤと、更新位置ＩＤとなるａｒｅａＩＤと、変更対象のファイルが画像ファイルか文書ファイルであるかを示すメディア種別と、修正対象ファイルのファイル名および差し替えファイルのファイル名とを含む部分差し替え情報、ならびに差し替えファイルをポータル登録情報受付装置１１２に送信する（ステップＳ４０１）。なお、更新対象は、画像の場合には式２に示すように「ｕｒｌ」で指定されるファイル名であり、文書の場合には式３に示すようにタグで挟まれた文字列となる。
【０１２７】
ポータル登録情報受付装置１１２は、ポータル情報登録端末１０１から部分差し替え情報と差し替えファイルを受け取ると、部分差し替え情報に含まれる連携コンテンツＩＤで特定される連携コンテンツ構成情報をコンテンツ構成情報管理サーバ１１６内で検索し、検索により特定した連携コンテンツ構成情報から提示情報を読み出す。
【０１２８】
続いて、読み出した提示情報に「ａｒｅａＩＤ＝２０００」を含む式があるか否かを調べ、「ａｒｅａＩＤ＝２０００」を含む式を見つけると、ファイル名「ｊｐｅｇ１．ｊｐｅｇ」を「ｊｐｅｇｎｅｗ．ｊｐｅｇ」に変更する提示情報を更新する（ステップＳ４０２）。そして、更新した提示情報と差し替えファイルをコンテンツ構成情報管理サーバ１１６に送信し、上記部分差し替え情報をポータル情報配信装置１１３に送信する（ステップＳ４０３）。コンテンツ構成情報管理サーバ１１６はポータル登録情報受付装置１１２から更新した提示情報と差し替えファイルを受信すると、予め格納された提示情報を更新した提示情報に変更し、提示情報に指定されたＵＲＬに差し替えファイルを格納する。
【０１２９】
ポータル情報配信装置１１３は、ポータル登録情報受付装置１１２から部分差し替え情報を受け取ると、部分差し替え情報に含まれる連携コンテンツＩＤで特定される連携コンテンツ構成情報をコンテンツ構成情報管理サーバ１１６内を検索して取得する。続いて、連携コンテンツ構成情報からページ間関連情報の対応情報を読み出す。読み出した対応情報の中で放送系通信コンテンツに関連する式に、「ｉｄ＝２０００」が含まれているものがあるか検索する（ステップＳ４０４）。検索により、表６の中から「ｉｄ＝２０００」を含む式５を見つけ出す。
【０１３０】
【式５】
2005012323.tif 000014
式５に示すように、タイトル１のページ（Ｔｉｔｌｅ１．ｂｍｌ）に「ｉｄ＝２０００」が含まれていることがわかる。表４に示した放送系通信コンテンツ構成情報から「Ｔｉｔｌｅ１．ｂｍｌ」のファイルについての文書管理ＩＤ＝２０００１を読み出して、修正対象文書管理ＩＤ＝２０００１と、更新する領域の位置ＩＤ（ｉｄ＝２０００）と、ファイル名を「ｊｐｅｇ１．ｊｐｅｇ」から「ｊｐｅｇｎｅｗ．ｊｐｅｇ」に変更する旨の更新内容とを含む部分更新情報を放送系通信コンテンツ更新装置１１４に送信する（ステップＳ４０５）。
【０１３１】
また、ポータル情報配信装置１１３は、コンテンツ構成情報管理サーバ１１６内から読み出した対応情報の中でＷＥＢ系ＢＢコンテンツに関連する式に、「ｉｄ＝２０００」が含まれているものがあるか検索する。検索により、上記式５を表６の中から見つけ出す。
【０１３２】
式５に示すように、タイトル１のページ（Ｔｉｔｌｅ１．ｈｔｍｌ）に「ｉｄ＝２０００」が含まれていることがわかる。表５に示したＷＥＢ系ＢＢコンテンツ構成情報から「Ｔｉｔｌｅ１．ｈｔｍｌ」のファイルについての文書管理ＩＤ＝３０００２を読み出して、修正対象文書管理ＩＤ＝３０００２と、更新する領域の位置ＩＤ（ｉｄ＝２０００）と、ファイル名を「ｊｐｅｇ１．ｊｐｅｇ」から「ｊｐｅｇｎｅｗ．ｊｐｅｇ」に変更する旨の更新内容とを含む部分更新情報をＷＥＢ系ＢＢコンテンツ更新装置１１７に送信する（ステップＳ４０６）。
【０１３３】
一方、放送系通信コンテンツ更新装置１１４は、ステップＳ４０５でポータル情報配信装置１１３から部分更新情報を受け取ると、表４に示した文書管理ＩＤ＝２０００１を含む放送系通信コンテンツ構成情報から更新方法、更新フォーマットを読み出す。続いて、放送系通信コンテンツ構成情報のアカウントを放送系通信コンテンツ提供装置１１５に送信してアクセス可能な状態にする。そして、表４に示すように、更新方法が「差分更新」であることから、位置ＩＤ＝２０００のＪＰＥＧ画像をＦＴＰ（Ｆｉｌｅ  Ｔｒａｎｓｆｅｒ  Ｐｒｏｔｏｃｏｌ）で差分更新するため、コンテンツ構成情報管理サーバ１１６から差し替えファイルを取得し、ＦＴＰで放送系通信コンテンツ提供装置１１５の公開先ＵＲＬに差し替えファイルを複写する（ステップＳ４０７）。また、修正対象文書管理ＩＤ＝２０００１で特定されるファイルのソースコード内におけるファイル名「ｊｐｅｇ１．ｊｐｅｇ」を「ｊｐｅｇｎｅｗ．ｊｐｅｇ」に変更する。
【０１３４】
また、ＷＥＢ系ＢＢコンテンツ更新装置１１７は、ステップＳ４０６でポータル情報配信装置１１３から部分更新情報を受け取ると、表５に示した文書管理ＩＤ＝３０００２を含むＷＥＢ系ＢＢコンテンツ構成情報から更新方法、更新フォーマットを読み出す。続いて、ＷＥＢ系ＢＢコンテンツ構成情報のアカウントをＷＥＢ系ＢＢコンテンツ提供装置１１８に送信してアクセス可能な状態にする。そして、表５に示すように、更新方法が「全更新」であることから、位置ＩＤ＝２０００に表示されるＪＰＥＧ画像のファイルを「ｊｐｅｇ１．ｊｐｅｇ」から「ｊｐｅｇｎｅｗ．ｊｐｅｇ」に変更した、文書管理ＩＤ＝３０００２を構成する全てのファイル（Ｔｉｔｌｅ１．ｈｔｍｌ）をコンテンツ構成情報管理サーバ１１６から取得し、ＦＴＰでＷＥＢ系ＢＢコンテンツ提供装置１１８の公開先ＵＲＬにファイルを複写する（ステップＳ４０８）。また、修正対象文書管理ＩＤ＝３０００２で特定されるファイルのソースコード内におけるファイル名「ｊｐｅｇ１．ｊｐｅｇ」を「ｊｐｅｇｎｅｗ．ｊｐｅｇ」に変更する。
【０１３５】
ポータル情報配信装置１１３は、ステップＳ４０６の後、更新日時と更新結果をコンテンツ構成情報管理サーバ１１６に送信する（ステップＳ４０９）。コンテンツ構成情報管理サーバ１１６は、ポータル情報配信装置１１３から受け取った更新日時と更新結果を配信履歴に格納する。
【０１３６】
上述のようにして、操作者がポータル情報登録端末１０１を操作して差し替えファイルと更新内容を入力すると、ポータル情報登録端末１０１はポータル情報受付装置１１２を介して部分差し替え情報をポータル情報配信装置１１３に送信する。ポータル情報配信装置１１３は、部分差し替え情報を受信すると、部分更新情報をコンテンツ更新装置に送信し、コンテンツ更新装置は受信した部分更新情報によりコンテンツ提供装置に格納された配信コンテンツの修正対象ファイルを差し替えファイルに変更する。そのため、放送系通信コンテンツ提供装置１１５およびＷＥＢ系ＢＢコンテンツ提供装置１１８で公開される配信コンテンツが更新され、操作者が放送系通信コンテンツ提供装置１１５およびＷＥＢ系ＢＢコンテンツ提供装置１１８を操作して差し替えファイルに更新する手間が省ける。
【０１３７】
また、ポータル情報配信装置１１３は、共通の部品のファイルを差し替えファイルに更新する際、対応情報から各配信コンテンツのどの位置に共通の部品があるかを確認できるため、各配信コンテンツ内を検索する手間が省け、より速く更新できる。
【０１３８】
なお、上述の場合、データ放送コンテンツには「ｉｄ＝２０００」で特定される部品が含まれていないので、ポータル情報配信装置１１３はデータ放送送出装置１０３に格納されたデータ放送コンテンツを更新する必要がない。データ放送コンテンツに含まれる部品について更新する場合、ポータル情報配信装置１１３は、コンテンツ構成情報管理サーバ１１６に格納されたデータ放送コンテンツ構成情報から更新方法および更新フォーマットを読み出し、読み出した更新方法および更新フォーマットに対応した差し替えファイルと部分更新情報を自動制作装置１０２に送信する。
【０１３９】
また、上述の更新の場合、表４および表５に更新フォーマットの指定はないが、更新の際、差し替えファイルのフォーマットが放送系通信コンテンツのフォーマットと一致しない場合、放送系通信コンテンツ更新装置１１４はフォーマット変換する。例えば、ＪＰＥＧ画像ファイルなら「４：２：０フォーマット」に変換する。このフォーマット変換については、ＷＥＢ系ＢＢコンテンツの場合も同様である。
【０１４０】
次に、配信コンテンツのページを更新する場合の連携コンテンツ構成情報について説明する。
【０１４１】
表８は、図２に示したページの「タイトル１」のリンク動作により表示される新規ページについての連携コンテンツ構成情報を示す。
【０１４２】
【表８】
2005012323.tif 000015
表８に示すように、新規ページのタイトルは「リニューアル」であり、新規ページには文字列「このページの内容は更新されました。」が表示される。この文字列が表示される表示領域がｉｄ＝４０００に割り当てられている。放送系通信コンテンツの新規ページとなる差し替えファイルのファイル名は「ｒｅＮｅｗａｌ．ｂｍｌ」であり、ＷＥＢ系ＢＢコンテンツの新規ページとなる差し替えファイルのファイル名は「ｒｅＮｅｗａｌ．ｈｔｍｌ」である。これらの新規ページを含む連携コンテンツの連携コンテンツＩＤは９００である。
【０１４３】
次に、表８に示した配信コンテンツのページを更新する手順について説明する受託センタ１１の操作者が放送局１０側からの要求によりテンプレート制作端末１１１を操作して新規ページを作成すると、テンプレート制作端末１１１は、新規ページを含む連携コンテンツに連携コンテンツＩＤ＝９００を付与する。また、放送系通信コンテンツの新規ページの文書に文書管理ＩＤ＝２００１１を割り当て、ＷＥＢ系ＢＢコンテンツの新規ページの文書に文書管理ＩＤ＝３００１１を割り当てる。そして、表８に示した連携コンテンツ構成情報と連携コンテンツをコンテンツ構成情報管理サーバ１１６に送信する。コンテンツ構成情報管理サーバ１１６は受信した連携コンテンツ構成情報および連携コンテンツを格納する。なお、以下では、新規ページの文書を差し替え文書と称し、差し替え文書を含む連携コンテンツを差し替え連携コンテンツと称する。
【０１４４】
その後、放送局１０の操作者が、公開している配信コンテンツを新規ページに更新するために、ポータル情報登録端末１０１を操作して、修正対象連携コンテンツＩＤと、修正対象文書管理ＩＤと、差し替え連携コンテンツＩＤと、差し替え文書管理ＩＤとを含むページ差し替え情報を入力する。ポータル情報登録端末１０１は、ページ差し替え情報をポータル登録情報受付装置１１２に送信する。
【０１４５】
ここでのページ差し替え情報は、「修正対象連携コンテンツＩＤ＝８００、修正対象文書管理ＩＤ＝２０００１、差し替え連携コンテンツＩＤ＝９００、差し替え文書管理ＩＤ＝２００１１」と、「修正対象連携コンテンツＩＤ＝８００、修正対象文書管理ＩＤ＝３０００２、差し替え連携コンテンツＩＤ＝９００、差し替え文書管理ＩＤ＝３００１１」になる。
【０１４６】
ポータル登録情報受付装置１１２は、ポータル情報登録端末１０１からページ差し替え情報を受け取ると、修正対象連携コンテンツＩＤ＝８００と差し替え連携コンテンツＩＤ＝９００の連携コンテンツ構成情報をコンテンツ構成情報管理サーバ１１６内で検索する。
【０１４７】
続いて、放送系通信コンテンツ構成情報を更新するために、連携コンテンツＩＤ＝９００の連携コンテンツ構成情報から放送系通信コンテンツ構成情報を連携コンテンツＩＤ＝８００の連携コンテンツ構成情報に複写する。文書管理ＩＤ＝２０００１と文書管理ＩＤ＝２００１１の配信コンテンツ構成情報を比較して、共通でない項目、例えば、公開先ＵＲＬやアカウントの項目については文書管理ＩＤ＝２０００１の配信コンテンツ構成情報を文書管理ＩＤ＝２００１１の配信コンテンツ構成情報に複写する。また、共通な項目であっても文書管理ＩＤ＝２００１１の配信コンテンツ構成情報が不十分な場合、例えば、文書ファイルの格納先を示すＵＲＬについては、文書管理ＩＤ＝２０００１の配信コンテンツ構成情報を文書管理ＩＤ＝２００１１の配信コンテンツ構成情報にそのまま複写し、ファイル名のみ変更する。
【０１４８】
また、ＷＥＢ系ＢＢコンテンツ構成情報を更新するために、上記放送系通信コンテンツ構成情報の更新と同様にして、文書管理ＩＤ＝３００１１の配信コンテンツ構成情報を連携コンテンツＩＤ＝８００の連携コンテンツ構成情報に複写し、文書管理ＩＤ＝３０００２の配信コンテンツ構成情報と共通でない項目や、共通であっても内容が不十分な項目については、文書管理ＩＤ＝３０００２の配信コンテンツ構成情報を文書管理ＩＤ＝３００１１の配信コンテンツ構成情報に複写する。
【０１４９】
なお、テンプレート制作端末１０１が割り当てた差し替え文書管理ＩＤと同じ番号が既に修正対象連携コンテンツ内で用いられていた場合には、ポータル登録情報受付装置１１２は差し替え文書管理ＩＤとして新規番号を付与するとともに、連携コンテンツ構成情報の連携情報に含まれる「ｄｏｃｕｍｅｎｔＩｄ」を新規番号に変更する。
【０１５０】
次に、連携情報のページ間関連情報を更新する手順について説明する。
【０１５１】
ポータル登録情報受付装置１１２は、連携情報のページ間関連情報のうち表７に示したページ間リンク情報を検索し、ページ間リンク情報の文書管理ＩＤ＝２０００１を文書管理ＩＤ＝２００１１に変更し、ファイル名を「ｔｉｔｌｅ１．ｂｍｌ」から「ｒｅＮｅｗａｌ．ｂｍｌ」に変更する。表７に示したページ間リンク情報を更新したものを表９に示す。
【０１５２】
【表９】
2005012323.tif 000016
表９の２行目の式に示すように、ｄｏｃｕｍｅｎｔＩｄ値が２０００１から２００１１に変更され、ファイル名が「ｔｉｔｌｅ１．ｂｍｌ」から「ｒｅＮｅｗａｌ．ｂｍｌ」に変更されている。
【０１５３】
続いて、ポータル登録情報受付装置１１２は、ページ間関連情報のうち表６に示した対応情報を検索し、対応情報の中で文書管理ＩＤ＝２０００１を含む式を削除し、表８に示す対応情報を追加する。表６に示した対応情報を変更したものを表１０に示す。
【０１５４】
【表１０】
2005012323.tif 000017
表１０に示すように、表６に示した対応情報のうち第６番目および第７番目の式が削除され、表８に示した対応情報が追加されている。表１０で下線の引かれた式は、文書管理ＩＤ＝２００１１、ファイル名「ｒｅＮｅｗａｌ．ｂｍｌ」のページ内で位置ＩＤ＝４０００の位置の部品と、文書管理ＩＤ＝３００１１、ファイル名「ｒｅＮｅｗａｌ．ｈｔｍｌ」のページ内で位置ＩＤ＝４０００の位置の部品が共通であることを示す。
【０１５５】
なお、ポータル登録情報受付装置１１２は、上記放送系通信コンテンツの場合と同様にして、ページ間関連情報について、表１０に示すように文書管理ＩＤ＝３０００２のファイルを文書管理ＩＤ＝３００１１のファイルに更新する。
【０１５６】
次に、連携情報の提示情報を更新する手順について説明する。
【０１５７】
文書管理ＩＤ＝２０００１の放送系通信コンテンツのページを更新するため、位置ＩＤ＝２０００と位置ＩＤ＝２００１で特定される位置に表示される部品を削除する必要がある。そのため、ポータル登録情報受付装置１１２は、提示情報を更新するために、ａｒｅａＩｄ＝２０００および２００１の少なくともいずれか一方を含む式を提示情報内から検索して検索条件に一致する式があれば削除する。
【０１５８】
文書管理ＩＤ＝３０００２のＷＥＢ系ＢＢコンテンツのページについても、上記放送系通信コンテンツの場合と同様の理由により、ポータル登録情報受付装置１１２はａｒｅａＩｄ＝２０００および２００１の少なくともいずれか一方を含む式を提示情報から削除する。続いて、ａｒｅａＩｄ＝１００１を含む式のｃｏｎｔｅｎｔｓＦｒｏｍ値のｄｏｃｕｍｅｎｔＩｄを２０００１から２００１１に変更する。式１のｄｏｃｕｍｅｎｔＩｄを変更した場合を式６に示す。
【０１５９】
【式６】
2005012323.tif 000018
式６は、位置ＩＤ＝１００１で特定される位置に表示される文字列が文書管理ＩＤ＝２００１１の文書についての構成情報における「ｉｔｅｍＮＯ：１」で指定された項目番号１の内容であることを示す。ポータル登録情報受付装置１１２はＷＥＢ系ＢＢコンテンツのページの提示情報についても、式６に示したように、ａｒｅａＩｄ＝１００１を含む式のｃｏｎｔｅｎｔｓＦｒｏｍ値のｄｏｃｕｍｅｎｔＩｄを３０００２から３００１１に変更する。
【０１６０】
そして、ポータル登録情報受付装置１１２は、連携コンテンツＩＤ＝８００と、修正対象文書管理ＩＤ（文書管理ＩＤ＝２０００１、３０００２）と、差し替え対象文書管理ＩＤ（文書管理ＩＤ＝２００１１、３００１１）とを含むページ更新情報をポータル情報配信装置１１３に送信する。
【０１６１】
ポータル情報配信装置１１３は、ポータル登録情報受付装置１１２からページ更新情報を受け取ると、ページ更新情報の連携コンテンツＩＤからコンテンツ構成情報管理サーバ１１６に格納された連携コンテンツ構成情報を特定し、文書管理ＩＤ＝２０００１と文書管理ＩＤ＝２００１１のファイル名を読み出す。続いて、ファイル名「ｔｉｔｌｅ１．ｂｍｌ」を「ｒｅＮｅｗａｌ．ｂｍｌ」に変更するために、ファイル名「ｔｉｔｌｅ１．ｂｍｌ」と「ｒｅＮｅｗａｌ．ｂｍｌ」を含むファイル名変更信号を放送系通信コンテンツ更新装置１１４に送信する。放送系通信コンテンツ更新装置１１４はファイル名変更信号を受信すると、放送系通信コンテンツ提供装置１１５に格納した配信コンテンツのソースコード内のファイル名「ｔｉｔｌｅ１．ｂｍｌ」を「ｒｅＮｅｗａｌ．ｂｍｌ」に変更する。また、放送系通信コンテンツ更新装置１１４は、図５および図６で示したステップＳ４０７と同様にして、ファイル名「ｒｅＮｅｗａｌ．ｂｍｌ」の差し替えファイルをコンテンツ構成情報管理サーバ１１６から放送系通信コンテンツ提供装置１１５の公開先ＵＲＬに複写する。
【０１６２】
また、ポータル情報配信装置１１３が、上記放送系通信コンテンツの場合と同様にして、ファイル名「ｔｉｔｌｅ１．ｈｔｍｌ」を「ｒｅＮｅｗａｌ．ｈｔｍｌ」に変更する旨のファイル名変更信号をＷＥＢ系ＢＢコンテンツ更新装置１１７に送信すると、ＷＥＢ系ＢＢコンテンツ更新装置１１７はＷＥＢ系ＢＢコンテンツ提供装置１１８に格納した配信コンテンツのソースコード内のファイル名「ｔｉｔｌｅ１．ｈｔｍｌ」を「ｒｅＮｅｗａｌ．ｈｔｍｌ」に変更する。また、ＷＥＢ系ＢＢコンテンツ更新装置１１７は、図５および図６で示したステップＳ４０８と同様にして、ファイル名「ｒｅＮｅｗａｌ．ｈｔｍｌ」の差し替えファイルをコンテンツ構成情報管理サーバ１１６からＷＥＢ系ＢＢコンテンツ提供装置１１８の公開先ＵＲＬに複写する。
【０１６３】
次に、図２に示したボタン部分の表示「タイトル１」の更新手順について説明する。なお、ボタン部分の表示の更新は図５および図６に示したページの一部を更新する場合と同様なため、以下ではその詳細な説明を省略する。
【０１６４】
ポータル登録情報受付装置１１２は、連携コンテンツＩＤ＝８００と、更新部分を示すａｒｅａＩＤ（ａｒｅａＩｄ＝１００１）と、位置ＩＤ＝１００１に表示される文字を「タイトル１」から「リニューアル」に変更する旨の更新内容とをポータル情報配信装置１１３に送信する。ポータル情報配信装置１１３は、ポータル情報受付装置１１２から受信した連携コンテンツＩＤで特定される連携コンテンツ構成情報をコンテンツ構成情報管理サーバ１１６から読み出して、その対応情報にａｒｅａＩｄ＝１００１で特定される「ｉｄ＝１００１」があるかを検索し、検索結果により表６から以下に示す式７を読み出す。
【０１６５】
【式７】
2005012323.tif 000019
式７から、文書管理ＩＤ＝１０００１のデータ放送コンテンツのページ（Ｓｔａｒｔｕｐ．ｂｍｌ）にｉｄ＝１００１の部品が含まれていることがわかる。
【０１６６】
ポータル情報配信装置１１３は、自動制作装置１０２と放送系通信コンテンツ更新装置１１４に、修正対象文書管理ＩＤ＝１０００１と、更新部分を示すａｒｅａＩＤ（ａｒｅａＩｄ＝１００１）と、上記更新内容とを含む部分更新情報を送信する。
【０１６７】
自動制作装置１０２は、ポータル情報配信装置１１３から部分更新情報を受け取ると、文書管理ＩＤ＝１０００１のデータ放送コンテンツ構成情報のアカウントをコンテンツ構成情報管理サーバ１１６から読み出し、データ放送送出装置１０３にアカウントを送信してアクセス可能な状態にする。続いて、文書管理ＩＤ＝１０００１で特定されるファイルをデータ放送送出装置１０３内で検索し、検索により取得したファイル内の位置ＩＤ＝１００１で特定される「タイトル１」を「リニューアル」に変更する。
【０１６８】
なお、ポータル情報配信装置１１３は、表６に示した対応情報のうち放送系通信コンテンツについても「ｉｄ＝１００１」があるかを検索するが、放送系通信コンテンツには「ｉｄ＝１００１」を含まないため放送系通信コンテンツ更新装置１１４に部分更新情報を送らない。
【０１６９】
また、ポータル情報配信装置１１３は、対応情報のうちＷＥＢ系ＢＢコンテンツについて位置ＩＤ＝１００１に表示される部品があるかを検索し、検索結果から表６に示すように、「ｉｄ＝１００１」が「ｉｎｄｅｘ．ｈｔｍｌ」に含まれていることを認識する。そして、コンテンツ構成情報管理サーバ１１６に格納されたＷＥＢ系ＢＢコンテンツ構成情報の文書管理ＩＤ＝３０００１の構成情報を読み出して、修正対象文書管理ＩＤ＝３０００１と、更新部分を示すａｒｅａＩＤ（ａｒｅａＩＤ＝１００１）と、位置ＩＤ＝１００１に表示される文字を「タイトル１」から「リニューアル」に変更する旨の更新内容とを含む部分更新情報をＷＥＢ系ＢＢコンテンツ更新装置１１７に送信する。
【０１７０】
ＷＥＢ系ＢＢコンテンツ更新装置１１７は、ポータル情報配信装置１１３から部分更新情報を受け取ると、文書管理ＩＤ＝３０００１のＷＥＢ系ＢＢコンテンツ構成情報のアカウントをコンテンツ構成情報管理サーバ１１６から読み出し、ＷＥＢ系ＢＢコンテンツ提供装置１１８にアカウントを送信してアクセス可能な状態にする。続いて、文書管理ＩＤ＝３０００１で特定されるファイルをデータ放送送出装置１０３内で検索し、検索により取得したファイル内の位置ＩＤ＝１００１で特定される「タイトル１」を「リニューアル」に変更する。
【０１７１】
ポータル情報配信装置１１３は、ＷＥＢ系ＢＢコンテンツ更新装置１１７にファイル名変更信号を送信した後、更新日時と更新結果をコンテンツ構成情報管理サーバ１１６に送信する。コンテンツ構成情報管理サーバ１１６は、ポータル情報配信装置１１３から受け取った更新日時と更新結果を配信履歴に格納する。また、連携コンテンツＩＤ＝８００の連携コンテンツから文書管理ＩＤ＝２０００１の放送系通信コンテンツと文書管理ＩＤ＝３０００２のＷＥＢ系ＢＢコンテンツを削除し、連携コンテンツ構成情報から文書管理ＩＤ＝２０００１と文書管理ＩＤ＝３０００２の配信コンテンツ構成情報を削除する。
【０１７２】
上述のようにして、ポータル情報配信装置１１３は、ページ差し替え情報が入力されると、ファイル名変更信号をコンテンツ更新装置に送信し、コンテンツ更新装置は、受信したファイル名変更信号によりコンテンツ提供装置に格納された配信コンテンツの修正対象ファイルを差し替えファイルに変更する。そのため、操作者がコンテンツ提供装置を操作して差し替えファイルに更新する手間が省ける。
【０１７３】
なお、上記実施例では、ポータル情報配信装置１１３は、ページ更新情報をポータル登録情報受付装置１１２から受け取ると、各配信コンテンツのページを更新させたが、連携コンテンツＩＤ＝９００の連携コンテンツ構成情報に予め新規配信スケジュールが登録され、新規配信スケジュールの配信開始日時に各配信コンテンツのページを更新させ、配信終了日時に各配信コンテンツをコンテンツ提供装置から削除するようにしてもよい。この場合、新規配信スケジュールは、放送局１０の操作者がポータル情報登録端末１０１を操作して入力することで登録されてもよく、受託センタ１１の操作者がテンプレート制作端末１１１を操作して入力することで登録されてもよい。
【０１７４】
また、上記実施例では、公開している配信コンテンツを更新する場合、放送局１０の操作者がポータル情報登録端末１０１を操作して更新内容を入力することで、差し替え情報を専用回線６００を介して受託センタ１１のポータル登録情報受付装置１１２に送信していたが、ＥＤＰＳが差し替え情報を専用回線６００を介してポータル登録情報受付装置１１２に送信するようにしてもよい。
【０１７５】
また、受託センタ１１にコンテンツの配信を依頼する放送局は、以下に説明するように複数あってもよい。
【０１７６】
図７は本発明の情報配信システムを複数の放送局に対して適用した場合を示すブロック図である。
【０１７７】
図７に示すように、放送局５０内の通信回線は専用回線６０１を介して受託センタ１１内の通信回線に接続され、放送局５０のポータル情報登録端末５０１が受託センタ１１のポータル登録情報受付装置１１２と通信可能に接続されている。放送局５１内についても、放送局５０と同様にして、ポータル情報登録端末５１１が受託センタ１１のポータル登録情報受付装置１１２と通信可能に接続されている。図７に示す構成により、ポータル登録情報受付装置１１２は各放送局のポータル情報登録端末と通信可能となる。
【０１７８】
また、視聴者は、テレビ受信機を操作して放送系通信コンテンツおよびＷＥＢ系ＢＢコンテンツを閲覧していたが、視聴者側にパーソナルコンピュータを備え、パーソナルコンピュータを操作して放送系通信コンテンツおよびＷＥＢ系ＢＢコンテンツを閲覧してもよい。
【０１７９】
【発明の効果】
本発明は以上説明したように構成されているので、以下に記載する効果を奏する。
【０１８０】
本発明によれば、配信形態に対応して配信コンテンツが視聴者に閲覧可能となり、また、配信コンテンツの内容が更新される。そのため、操作者が配信形態毎に配信コンテンツをコンテンツ提供装置に登録したり、配信コンテンツを更新する手間が省け、操作者の労力がより軽減される。その上、受託センタが基礎コンテンツから配信形態に対応した配信コンテンツを作製することで、放送事業者にとって、多様な配信形態への対応を行うための設備投資を小さくすることができる。
【０１８１】
また、放送事業者はポータル情報登録端末を操作することで差し替え情報を専用回線を介してポータル情報配信装置に送信可能としている。そのため、データ放送コンテンツのポータルサイト構築や運営のための受託センタの設備を他の放送事業者と共有し、各放送事業者には必要最低限の設備としてポータル情報登録端末を備えるようにすれば、受託センタの設備利用料金が低く設定されることが期待できる。
【０１８２】
また、放送事業者は、受託センタの全ての設備を購入して自局で運用するよりも運用工数が減少し、他業務との兼業も可能になる。
【０１８３】
また、放送事業者は、配信形態の種類を増やしたり、減らしたりする場合には、受託センタへの要求内容を変更することで、自局での設備の廃棄や購入等を行うことなく配信形態を変更できる。
【０１８４】
さらに、放送事業者は、受託センタの設備を他放送事業者と共用することにより応答性を十分に確保できないという問題が発生した場合や自局に特化した機能の導入が必要になった場合に受託センタを解約し、自局の設備を拡張購入して、段階的な設備投資が可能となる。
【図面の簡単な説明】
【図１】本発明の情報配信システムの一構成例を示すブロック図である。
【図２】配信コンテンツおよびテンプレートの一構成例を示す図である。
【図３】連携コンテンツを視聴者に対して公開するための手順を示すブロック図である。
【図４】連携コンテンツを視聴者に対して公開するための手順を示すフローチャートである。
【図５】配信コンテンツのページの一部を更新する手順を示すブロック図である。
【図６】配信コンテンツのページの一部を更新する手順を示すフローチャートである。
【図７】本発明の情報配信システムを複数の放送局に対して適用した場合を示すブロック図である。
【符号の説明】
１０、５０、５１    放送局
１１    受託センタ
１０１、５０１、５１１    ポータル情報登録端末
１０２、５０２、５１２    自動制作装置
１０３、５０３、５１３    データ放送送出装置
１０４    ＭＵＸ（多重化装置）
１１１    テンプレート制作端末
１１２    ポータル登録情報受付装置
１１３    ポータル情報配信装置
１１４    放送系通信コンテンツ更新装置
１１５    放送系通信コンテンツ提供装置
１１６    コンテンツ構成情報管理サーバ
１１７    ＷＥＢ系ＢＢコンテンツ更新装置
１１８    ＷＥＢ系ＢＢコンテンツ提供装置
６００、６０１、６０２    専用回線
【図１】
2005012323.tif 000020
【図２】
2005012323.tif 000021
【図３】
2005012323.tif 000022
【図４】
2005012323.tif 000023
【図５】
2005012323.tif 000024
【図６】
2005012323.tif 000025
【図７】
2005012323.tif 000026